(57)【要約】【課題】毛髪の根本部分により効果的に熱を加えることができるようにするパーマ用発熱プレートを提供する。【解決手段】毛髪にウエーブ形状をつけるパーマ処理で用いられる発熱プレート１は、その本体である保持プレート１０が可撓性を有するように構成され、また、保持プレート１０に設けられた針金部材３０の塑性力により、保持プレート１０は、曲げられた状態でその形状が保持される。さらに、保持プレート１０は発熱体を保持し、通電コード４０を介して外部電源から発熱体に電流が供給され、その発熱体が発熱するように構成されている。このような発熱プレート１によれば、パーマ用ロッド１００に巻かれた毛髪をその外側から把持して熱を加えることができる。つまり、パーマ用ロッドの外側に巻かれることとなる毛髪の根本部分に効果的に熱を加え、その根本部分に確実にウエーブ形状をつけることができるようになる。【選択図】図３
2009207833.tif 000002
【特許請求の範囲】
【請求項１】
巻かれた状態の毛髪を把持し、その毛髪に該巻かれた状態の癖をつけるためのパーマ用発熱プレートであって、
通電により発熱する発熱体と、
前記発熱体を保持し、かつ該発熱体を保持した状態で可撓性を有するように構成されるプレート本体と、
前記プレート本体と一体的に設けられ、前記発熱体に外部電源からの電流を供給するための電流供給手段と、
前記プレート本体を、毛髪を把持した形態に保持する形態保持手段と、
から構成されていることを特徴とするパーマ用発熱プレート。
【請求項２】
請求項１に記載のパーマ用発熱プレートにおいて、
前記プレート本体は、互いに溶着される第１プレートと第２プレートとからなり、
前記発熱体は、前記第１プレートと第２プレートとの間に保持されるようになっていることを特徴とするパーマ用発熱プレート。
【請求項３】
請求項２に記載のパーマ用発熱プレートにおいて、
前記第１プレート及び前記第２プレートは、ポリイミド樹脂からなることを特徴とするパーマ用発熱プレート。
【請求項４】
請求項１ないし請求項３の何れか１項に記載のパーマ用発熱プレートにおいて、
前記発熱体は、線状の導体から成ると共に、該線状の導体を、縞模様となるように、一定方向に複数回往復して配設したものであることを特徴とするパーマ用発熱プレート。
【請求項５】
請求項１ないし請求項４の何れか１項に記載のパーマ用発熱プレートにおいて、
前記発熱体は、塑性変形する金属であることを特徴とするパーマ用発熱プレート。
【請求項６】
請求項１ないし請求項５の何れか１項に記載のパーマ用発熱プレートにおいて、
前記形態保持手段は、前記プレート本体の面のうち、毛髪を把持する側とは反対の面にそのプレート本体の全部又は一部を覆うように設けられ、閉じることで、そのプレート本体を、毛髪を把持した形態に保持するクリップ部材であることを特徴とするパーマ用発熱プレート。
【請求項７】
請求項１ないし請求項５の何れか１項に記載のパーマ用発熱プレートにおいて、
前記形態保持手段は、塑性変形可能な針金部材であり、前記プレート本体の面のうち、毛髪を把持する側とは反対の面において直線状に設けられるようになっていることを特徴とするパーマ用発熱プレート。
【請求項８】
請求項１ないし請求項７の何れか１項に記載のパーマ用発熱プレートにおいて、
前記外部電源は電池であり、
前記電流供給手段は、前記電池を収容するための電池収容部を備えると共に、該電池からの電流を前記発熱体へ供給するように構成されていることを特徴とするパーマ用発熱シート。
【請求項９】
請求項１ないし請求項８の何れか１項に記載のパーマ用発熱プレートにおいて、
前記発熱体の発熱温度を検出する温度検出手段と、
前記温度検出手段により検出された前記発熱体の発熱温度を周囲に通知する温度通知手段と、
を備えていることを特徴とするパーマ用発熱プレート。
【請求項１０】
請求項９に記載のパーマ用発熱プレートにおいて、
前記温度検出手段により検出される前記発熱体の発熱温度が所定値以上であるか否かを判定する温度判定手段と、
前記温度判定手段により前記発熱体の発熱温度が所定値以上であると判定されると、前記電流供給手段から前記発熱体への電流の供給を停止させる電流供給停止手段と、
を備えていることを特徴とするパーマ用発熱プレート。
【発明の詳細な説明】
【技術分野】
【０００１】
本発明は、毛髪にパーマネントウエーブをかける際に用いるパーマ用発熱プレートに関する。
【背景技術】
【０００２】
従来より、美容、縮毛の矯正、或いは毛髪の手入れを容易にすること等を目的として、毛髪にパーマネントウエーブ処理（以下、パーマ処理と言う）を施すことが行われている。パーマ処理は、熱や化学反応によって毛髪にウエーブを形成すると共に、その形成したウエーブを一定期間保持させるためのものであり、例えば、以下のように行われる。
（１）まず、毛髪をパーマ用ロッドに巻き付ける。
（２）そして、パーマ用の第一剤を毛髪に塗布し、５〜４０分程度放置する。これにより、第一剤を毛髪内部に浸透させるようにする。尚、パーマ用の第一剤は、例えば、チオグリコール酸、チオグリコール酸塩、システイン、システイン塩酸塩、システアミン、亜硫酸等の還元剤を含むものである。また、この第一剤が充分浸透するとウエーブが形成されやすくなるため、ここでは、毛髪に熱を加え、第一剤が毛髪内部により浸透するようにすることが好ましい。
（３）次に、余分な第一剤を洗い流す。
（４）続いて、パーマ用の第二剤を毛髪に塗布する。尚、第二剤は、ブロム酸塩、過酸化水素等の酸化剤を含むものである。
（５）その後、パーマ用ロッドを外し、余分な第二剤を洗い流す。
（６）最後に、毛髪をドライヤー等で乾燥させ、仕上げる。
【０００３】
以上のようなパーマ処理について、簡単に説明すると、上記（２）で、還元剤を毛髪内部へ浸透させることにより、毛髪のタンパク質の結合（いわゆるシスチン結合）を分解させる。そして毛髪がパーマ用ロッドに巻き付けられた状態のまま、上記（４）で、毛髪に酸化剤を作用させる。すると、毛髪においては、シスチン結合が再度形成される。これにより、毛髪には、その毛髪がパーマ用ロッドに巻き付けられた状態の形状、つまりウエーブ形状がつけられることとなる。
【０００４】
一方、このようなパーマ処理では、毛髪にウエーブがつきにくい場合や、ついたウエーブが長期間保持されない場合がある。これは、例えば、被施術者の髪質（太さや硬さ等）や髪の状態（痛み具合等）に起因することが考えられる。より詳しくは、髪質や髪の状態により、第一剤が均一かつ充分に浸透しないことが考えられる。
【０００５】
この場合の対処としては、巻いた毛髪に効果的に熱を加えることが考えられ、それを実現するものとして、本体の内部にヒータを備えたパーマ用ロッドが考えられている（例えば、特許文献１参照）。
【特許文献１】２００５−１３７４４１号公報
【発明の開示】
【発明が解決しようとする課題】
【０００６】
ところで、上記特許文献１のようなパーマ用ロッドによれば、そのパーマ用ロッド自体が発熱するため、パーマ用ロッドに巻いた毛髪部分、言い換えると、ウエーブを形成したい部分にのみ、熱が加えられるようにすることができる。このため、そのウエーブを形成したい部分に、第一剤が充分に浸透するようにできると考えられる。
【０００７】
しかし、パーマ用ロッドにヒータを組み込むと、そのパーマ用ロッドの重量が増加してしまうため、パーマ用ロッドを多数使用する場合に、被施術者の負担が大きくなる。しかも、以下のような問題も考えられる。
【０００８】
毛髪をパーマ用ロッドに巻く場合、まず、毛髪の先端がパーマ用ロッドに巻かれ、最後に、毛髪の根本部分が巻かれることとなる。すると、毛髪の先端は直接パーマ用ロッドに触れて熱が加わりやすくなり、逆に、毛髪の根本部分は熱が加わりにくくなる。
【０００９】
つまり、パーマ用ロッドに巻かれた毛髪のうち、毛髪の先端部分（パーマ用ロッドの外周部分における内側の部分）が高温になり、毛髪の根本部分（パーマ用ロッドの外周部分における外側の部分）は低温になり、温度むらができてウエーブの形成具合にもむらができるおそれがある。
【００１０】
さらに、毛髪の先端部分は一般的に痛みやすいため、余分に熱が加わることは好ましくない。逆に、毛髪の根本部分は一般的にウエーブがかかりにくいため、毛髪の先端部分と比較して熱が加わりやすくすることが望まれる。
【００１１】
本発明は、こうした点に鑑みなされたもので、パーマ処理において、毛髪の根本部分により効果的に熱を加えることができるようにすることを目的とする。
【課題を解決するための手段】
【００１２】
上記目的を達成するためになされた本発明は、巻かれた状態の毛髪を把持し、その毛髪に該巻かれた状態の癖をつけるためのパーマ用発熱プレートである。
まず、本パーマ用発熱プレートは、通電により発熱する発熱体を有し、また、その発熱体は、本パーマ用発熱プレートのプレート本体により保持されている。また、プレート本体は、発熱体を保持した状態で可撓性を有するように構成されている。さらに、本パーマ用発熱プレートには、プレート本体の形態を、毛髪を把持した形態に保持する形態保持手段が設けられている。
【００１３】
また、本パーマ用発熱プレートには、発熱体に外部電源からの電流を供給するための電流供給手段が設けられている。
このような本パーマ用発熱プレートは、毛髪にその毛髪が巻かれた状態の癖をつける（以下、ウエーブ形状をつけるとも言う）パーマ処理において、具体的に、以下のように使用することができる。
【００１４】
まず、毛髪をパーマ用ロッドに巻くと共に、本パーマ用発熱プレートでその毛髪をパーマ用ロッドと共に把持するようにする。この場合、プレート本体が可撓性を有することから、プレート本体の形態を、そのプレート本体がパーマ用ロッドに巻かれた毛髪と確実に接触するような形態に変形させることができ、しかも、形態保持手段により、プレート本体の形態がその変形させた形態に保持される。
【００１５】
そして、電流供給手段を介して発熱体を通電し、その発熱体を発熱させる。これにより、毛髪に熱を加えるようにする。つまり、毛髪に熱を加えて、ウエーブ形状をつけるようにする。
【００１６】
ところで、毛髪をパーマ用ロッドに巻いてその毛髪に熱を加えるようにして、その毛髪にウエーブ形状をつける場合、パーマ用ロッドの毛髪が巻かれている外周部の外側の部分に、より熱が加えられるようにすることが好ましい。なぜなら、ウエーブ形状がつきにくい毛髪の根本部分はパーマ用ロッドの外側部分に巻かれることとなるためである。
【００１７】
つまり、毛髪をパーマ用ロッドに巻く場合、まず、毛髪の先端部分が巻かれ、毛髪の根本部分は最後に巻かれる。このため、ウエーブ形状を効果的につける場合には、毛髪の根本部分、つまりその根本部分が巻かれたパーマ用ロッドのより外側の部分に、充分に熱を加える必要がある。
【００１８】
この点、本パーマ用発熱プレートを用いれば、プレート本体でパーマ用ロッドをその外側から把持して、そのパーマ用ロッドに巻かれた毛髪に熱を加えるようにすることができるため、毛髪の根本部分に効果的に熱が加えられるようにすることができる。しかも、プレート本体と毛髪とが確実に接触するようにできるため、その効果は顕著である。
【００１９】
また、逆に、パーマ用ロッドの外側部分から熱を加えるため、パーマ用ロッドの内側部分に必要以上に熱が加わらないようにすることができ、パーマ用ロッドの内側部分に巻かれることとなる毛髪の先端部分が痛んでしまうことを防止することができる。
【００２０】
また、本パーマ用発熱シートでは、熱を発するヒータ等を組み込まなくてもよいため、重量を軽くすることができ、被施術者の負担が増加することがない。
さらに、プレート本体は前述のように可撓性を有することから、パーマ用発熱プレートを毛髪へ取り付けたり、或いは毛髪から取り外したりすることは容易にできる。つまり、使用者（美容師）は、容易にパーマ処理を行うことができるようになる。
【００２１】
ここで、本パーマ用発熱プレートは、請求項２のように構成することができる。つまり、請求項２のパーマ用発熱プレートでは、プレート本体は、互いに溶着される第１プレートと第２プレートとからなるものであり、発熱体は、第１プレートと第２プレートとの間に保持されるようになっている。具体的に、第１プレートと第２プレートとの間に発熱体を挟み込み、その第１プレートと第２プレートとを互いに蒸着させることが考えられる。
【００２２】
このような構成によれば、発熱体が露出せず発熱体が直接毛髪に接触することがないため、発熱体が必要以上に発熱して毛髪にダメージを与えてしまう、ということが生じることを防止できる。
【００２３】
そして、第１プレート及び第２プレートとしては、請求項３に記載のように、ポリイミド樹脂を用いることが好ましい。ポリイミド樹脂は、耐熱性や耐薬品性に優れているため、好適である。また、ポリエーテルイミド樹脂を用いてもよい。このポリエーテルイミド樹脂は、ポリイミド樹脂と比較して、より耐熱性に優れている。また、ポリカーボネート（ＰＣ）、ポリプロピレン（ＰＰ）、ポリエチレン（ＰＥ）、ポリエチレンテレフタレート（ＰＥＴ）、などを用いても良い。
【００２４】
次に、発熱体は、請求項４のように設ければよい。つまり、請求項４のパーマ用発熱プレートでは、発熱体は、線状の導体から成ると共に、該線状の導体を、縞模様となるように、一定方向に複数回往復して配設したものである。
【００２５】
このような請求項４のパーマ用発熱プレートにおいて、特に、縞模様が均一となるように、つまり、縞が一定の幅を有するように導体を配設すれば、プレート本体から均一に熱が発せられることとなり、発熱にむらが生じること、ひいては、ウエーブ形状にむらが生じることを防止することができる。また、縞の幅を調整することにより、発熱温度を調整することができる。つまり、導体と導体との間の幅を大きくしたりすれば、発熱温度を抑えることができるし、また、導体と導体との間の幅を小さくしたりすれば、発熱温度を上げることができる。
【００２６】
また、発熱体としては、請求項５に記載のように、塑性変形する金属を用いるとよい。これによれば、発熱体としての金属が有する塑性の力によっても、プレート本体を変形させた際のその形態が保持されるようにすることができる。
【００２７】
次に、請求項６のパーマ用発熱プレートは、請求項１〜５のパーマ用発熱プレートにおいて、形態保持手段がクリップ部材であるように構成されたパーマ用発熱プレートである。請求項６において、そのクリップ部材は、プレート本体の面のうち、毛髪を把持する側とは反対の面にそのプレート本体の全部又は一部を覆うように設けられ、閉じることで、そのプレート本体を、毛髪を把持した形態に保持するものである。
【００２８】
ここで、クリップ部材とは、より詳しくは、作用点と支点と力点とを有するものであり、力点に一定の力を加えることで、作用点に一定の力が作用して作用点が移動するように構成されたものである。また、特に、クリップ部材は、弾性力を生じさせる構成も有するものであり、作用点を移動させるようにするには、弾性力に反発する力を力点に加える必要がある。
【００２９】
請求項６のパーマ用発熱プレートにおいて、クリップ部材の力点に何も力を作用させない状態では、クリップ部材の形態は、閉じた形態、つまり、毛髪を把持可能な形態となる。そして、クリップ部材の力点に力を作用させた状態（例えば、クリップ部材を「つまむ」状態）では、クリップ部材は開くようになっている。
【００３０】
このようなクリップ部材を用いた請求項６の構成によれば、パーマ用発熱プレートの取り付け及び取り外しが、より簡単となる。
次に、請求項７のパーマ用発熱プレートは、請求項１〜５のパーマ用発熱プレートにおいて、形態保持手段が塑性変形可能な針金部材であるように構成されたパーマ用発熱プレートである。そして、その針金部材は、プレート本体の面のうち、毛髪を把持する側とは反対の面に直線状に設けられるようになっている。
【００３１】
このような請求項７のパーマ用発熱プレートでは、プレート本体が変形すると針金部材が塑性変形し、プレート本体の形態は、その針金部材の塑性変形後の形態に保持される。そして、このような構成によれば、プレート本体の形態を容易に変形させることができる。このため、パーマ用発熱プレートで毛髪を把持したり、或いは毛髪からパーマ用発熱プレートを取り外したりすることが容易にできるようになる。尚、針金部材は、１本だけ設けるようにしても良いし、複数本設けるようにしても良い。
【００３２】
ところで、発熱体に電流を供給する外部電源としては、電池が考えられる。そして、電池を用いる場合には、請求項８のように構成すればよい。
つまり、請求項８のパーマ用発熱プレートでは、電流供給手段は、電池を収容するための電池収容部を備えると共に、該電池からの電流を発熱体へ供給するように構成されている。
【００３３】
これによれば、パーマ用発熱プレートと外部電源とを接続するための通電用のコードが不要となり、使用者（美容師）にとって扱いやすいものとすることができる。
また、ここで、発熱体の発熱温度が必要以上に上昇して毛髪にダメージが加わることを防止するために、請求項９及び請求項１０のように構成するとよい。
【００３４】
まず、請求項９のパーマ用発熱プレートは、請求項１〜８のパーマ用発熱プレートにおいて、発熱体の発熱温度を検出する温度検出手段と、温度検出手段により検出された発熱体の発熱温度を周囲に通知する温度通知手段とを備えている。
【００３５】
具体的には、温度センサ及び温度センサにより検出された温度を表示する表示部を設けることが考えられる。また、温度計や、サーモグラフシート（温度により表示色が変化するもの）を設けるようにしてもよい。
【００３６】
これによれば、使用者（美容師）が、発熱温度を容易に知ることができるようになるため、発熱温度が必要以上に上昇してしまうことを未然に防止することができる。
また、請求項１０のように構成すればより確実である。
【００３７】
つまり、請求項１０のパーマ用発熱プレートは、請求項９のパーマ用発熱プレートにおいて、温度検出手段により検出される発熱体の発熱温度が所定値以上であるか否かを判定する温度判定手段を備えている。そして、温度判定手段により発熱体の発熱温度が所定値以上であると判定されると、電流供給停止手段が、電流供給手段から発熱体への電流の供給を停止させるようになっている。
【００３８】
これによれば、使用者（美容師）が発熱温度に特に注意を払わなくても、発熱温度が所定値以上になれば、発熱体への電流の供給が停止され、発熱体が発熱しなくなる。このため、発熱温度が必要に上昇して毛髪にダメージを与えてしまうということをより確実に防止することができる。
【発明を実施するための最良の形態】
【００３９】
以下に、本発明の実施形態を図面に基づき説明する。
［実施形態１］
図１は、本実施形態のパーマ用発熱プレート（以下、単に発熱プレートと記載する）１を表す図面である。尚、図１（ａ），（ｂ），（ｃ）はそれぞれ、発熱プレート１の平面図、側面図、裏面図である。
【００４０】
図１の発熱プレート１は、毛髪にパーマネントウエーブ処理（以下、パーマ処理と言う）を施す際に使用されるものであり、具体的には、毛髪に、その毛髪が巻かれた状態の形状（以下、ウエーブ形状と言う）をつけるために使用される。尚、パーマ処理の内容については、［背景技術］に記載した例の通りである。また、本実施形態の発熱プレート１を用いた場合について、後述する。
【００４１】
本実施形態の発熱プレート１は、図１（ａ）に示すように、保持プレート１０と、発熱用配線２０と、針金部材３０と、通電コード４０とから構成されている。以下、各構成要素について説明する。
【００４２】
まず、保持プレート１０は、図１（ｂ），（ｃ）にも示すように、第１プレート１１と第２プレート１２とから構成され、略正方形をなしている。また、第１プレート１１及び第２プレート１２は、ポリイミド樹脂からなるものである。ポリイミドは、熱的・化学的に安定な分子構造を有する高分子であり、耐熱性、機械強度、電気絶縁性、耐薬品性等の点で優れている。そして、保持プレート１０は、可撓性を有するように、言い換えると、曲げ自在に構成されている。
【００４３】
尚、保持プレート１０は、正方形状に限らずどのような形状にしてもよく、例えば、三角形状、長方形状、菱形形状、その他どのような多角形形状にしてもよいし、また、円形状、楕円形状等にしてもよく、想定される使用の状況に応じて、様々な形状に構成することができる。例えば、パーマ処理の対象の毛髪の長さ、毛髪の頭における部位（頭頂部やえり部分）、毛髪自体の部位（先端部分か根本部分か）や、或いは形成したいウエーブの形状に応じて、保持プレート１０の形状を使いやすい形状に構成することが考えられる。
【００４４】
次に、発熱用配線２０は、ステンレスからなり、その厚さは数マイクロメートルから数十マイクロメートルである。そして、発熱用配線２０は、保持プレート１０の第１プレート１１と第２プレート１２との間に設けられる。具体的に、発熱用配線２０は、第１プレート１１と第２プレート１２との間に挟み込まれた状態で、第１プレート１１及び第２プレート１２に蒸着されるようになっている。
【００４５】
また、発熱用配線２０は、図１（ａ）に示すように、保持プレート１０の特定の辺（以下、辺ｓとする）と、その辺ｓと対向する側の辺（以下、辺ｕとする）との間で複数回往復するように配設されている。尚、以下、辺ｓ及び辺ｕの他の２辺をそれぞれ、辺ｔ，ｖとする。
【００４６】
発熱用配線２０は、まず、辺ｔに最も近く配設される部分は、辺ｔに沿って波打つように構成されている。また、辺ｖに最も近く配設される部分は、辺ｖに沿って波打つように構成されている。そして、その他の部分では、辺ｓと辺ｕとの間で直線的に配設され、かつ辺ｓ及び辺ｕの近傍では、その発熱用配線２０の経路が１８０度折り返されて配設され、これにより、縞模様を形成するように構成されている。
【００４７】
尚、縞模様の幅、つまり、発熱用配線２０の幅や、発熱用配線２０が配設されない部分の幅は、任意に決めることができる。そして、例えば、発熱用配線２０の総長を減らして発熱用配線２０が配設されない部分の幅を大きくしたりすれば、発熱温度を抑えることができるし、また、発熱用配線２０の総長を増やして発熱用配線２０が配設されない部分の幅を小さくすれば、発熱温度を上げることができる。また、発熱用配線２０は、どのように配設してもよいことは勿論である。例えば、碁盤目状の模様を形成するように配設してもよい。また、１枚のプレート状に構成してもよい。
【００４８】
また、発熱用配線２０には、通電コード４０と接続されるための端子２１，２２が設けられている。端子２１，２２はそれぞれ、通電コード４０を介して、一方は外部電源の高電位側（プラス側）に接続され、他方は外部電源の低電位側（マイナス側）に接続される。また、本実施形態では、発熱用配線２０と通電コード４０とは、端子２１，２２で溶着されている。
【００４９】
次に、針金部材３０は、鉄線であり、保持プレート１０に対し、粘着テープで接着されている。保持プレート１０が曲げられると、保持プレート１０を、その曲げられた形態に保持する。尚、針金部材３０は、接着剤等で接着させてもよいし、溶着させるようにしてもよい。また、針金部材３０としては、銅線、或いは真鍮線等、塑性変形可能なあらゆる材料を用いることができる。
【００５０】
ここで、図２は、発熱プレート１の斜視図である。まず、図２（ａ）は、保持プレート１０が、その保持プレート１０の通電コード４０が設けられた一端と、その一端と対向する側の他端が接触しないような形態に曲げられた状態を表し、この場合、その図２（ａ）の状態で、針金部材３０の塑性力により、保持プレート１０の形態が保持される。また、図２（ｂ）に示すように、保持プレート１０が、一端と他端が接触する状態に曲げられれば、その図２（ｂ）の状態で、針金部材３０の塑性力により、保持プレート１０の形態が保持される。このように、針金部材３０の塑性力により、針金部材３０が破損しない範囲で、保持プレート１０の形態はどのようにも保持される。
【００５１】
次に、通電コード４０は、発熱用配線２０に、外部電源からの電流を供給するためのものである。ここで、外部電源としては、例えば交流を直流に変換するコンバータ等が考えられる。
【００５２】
そして、通電コード４０は、例えばコンバータ等の電源装置に接続される端子４１を備えている。また、通電コード４０の端子４１が設けられた一端に対する他端は、発熱用配線２０の端子２１と接続される。このような構成により、電源装置から出力される電圧が発熱用配線２０に印加され、発熱用配線２０には電流が流れてその発熱用配線２０が発熱することとなる。尚、通電コード４０の端子４１と反対側の他端に、導体で構成されると共に開閉可能なクリップを設け、そのクリップを開閉させることにより、端子２１に通電コード４０を取り付けたり、或いは取り外したりすることができるようにしてもよい。
【００５３】
このような発熱プレート１によれば、以下に説明するように、毛髪に効果的にウエーブ形状をつけることができるようになる。
まず、パーマ処理において、毛髪をパーマ用ロッドに巻いて、毛髪にその巻いた形状をつける際に、発熱プレート１でその毛髪をパーマ用ロッドと共に把持するようにする。この場合、保持プレート１０が可撓性を有することから、保持プレート１０の形態を、その保持プレート１０がパーマ用ロッドに巻かれた毛髪と確実に接触するような形態に変形させることができ、しかも、針金部材３０により、保持プレート１０の形態がその変形させた形態に保持される。そして、通電コード４０を電源装置に接続して発熱プレート１を発熱させるようにすれば、毛髪に、効果的に熱を加えることができる。
【００５４】
具体的に、本発熱プレート１によれば、毛髪の根本部分に効果的に熱を加えることができる。その理由について説明すると、毛髪をパーマ用ロッドに巻く場合、まず、毛髪の先端部分が巻かれ、毛髪の根本部分は最後に巻かれる。つまり、毛髪の根本部分は、パーマ用ロッドにおいて、毛髪の先端部分よりも外側の部分に巻かれる。そして、本発熱プレート１によれば、毛髪を、パーマ用ロッドの外側からそのパーマ用ロッドと共に把持するようにでき、このため、毛髪の根本部分により熱が加わるようにすることができる。
【００５５】
よって、本発熱プレート１によれば、毛髪の根本部分により確実にウエーブ形状をつけることができるようになる。また、パーマ用ロッドの外側部分から熱を加えるため、パーマ用ロッドの内側部分に必要以上に熱が加わらないようにすることができ、パーマ用ロッドの内側部分に巻かれることとなる毛髪の先端部分が痛んでしまうことを防止することができる。
【００５６】
次に、以上のような本実施形態の発熱プレート１がパーマ処理においてどのように使用されるかについて、さらに具体的に説明する。尚、以下に示すパーマ処理の方法は一例であり、顧客の髪質、髪の量、髪の傷み具合、或いは癖付けしたいウエーブ形状の種類等に応じて、種々の方法が考えられる。
〈方法１〉
以下、第１の方法について説明する。
（１−１）まず、毛髪にパーマ用の第一剤を塗布し、１０分〜４０分程度放置する。これにより、第一剤を毛髪内部に浸透させるようにする。尚、パーマ用の第一剤は、例えば、チオグリコール酸、チオグリコール酸塩、システイン、システイン塩酸塩、システアミン、亜硫酸等の還元剤を含むものである。また、放置する時間は、顧客の髪質、髪の量、髪の痛み具体等に応じて調整する。
（１−２）次に、毛髪を水洗いし、タオルドライする（余分な水分をタオルで吸収させる）。
（１−３）ここで、次の工程について図３を用いて説明する。図３において、番号１００を付したものは、毛髪を巻き付けるためのパーマ用ロッドである。この工程では、まず、毛髪をパーマ用ロッド１００に巻き付ける。そして、図３に示すように、発熱プレート１を用いて、その巻き付けた毛髪を、パーマ用ロッド１００と共に把持する。
（１−４）次に、発熱プレート１に接続された通電コード４０を、外部電源としての電源装置に接続し、発熱プレート１の発熱用配線２０を通電する。ここで、発熱プレート１の発熱温度が３５〜１００度となるように適宜調整する。具体的には、電源装置を操作して、発熱プレート１に印加する電圧を調整する。尚、その電圧は、５〜３０Ｖの間で調整される。また、この工程では、５〜４０分程度、毛髪に熱を加えるようにする。
（１−５）その後、発熱プレート１及びパーマ用ロッド１００を毛髪から外し、次に、パーマ用の第二剤を毛髪に塗布する。そして、１〜１５分程度放置する。尚、第二剤は、ブロム酸塩、過酸化水素等の酸化剤を含むものである。
（１−６）その後、余分な第二剤を洗い流す。
（１−７）最後に、毛髪をドライヤー等で乾燥させ、仕上げる。
〈方法２〉
次に、第２の方法について説明する。第２の方法は、第１の方法と比較して、発熱プレート１を使用する点では同じであるが、使用するタイミングが異なっている。
（２−１）まず、毛髪をパーマ用ロッド１００に巻き付ける。
（２−２）そして、パーマ用の第一剤を毛髪に塗布する。第一剤については、前述の通りである。
（２−３）そして、次に、発熱プレート１を用いて、毛髪をパーマ用ロッド１００と共に把持する。
（２−４）次に、発熱プレート１に接続された通電コード４０を、電源装置に接続し、発熱プレート１の発熱用配線２０を通電する。詳しい内容については、方法１の（１−４）に記載した通りである。
（２−５）その後、発熱プレート１及びパーマ用ロッド１００を毛髪から外し、次に、パーマ用の第二剤を毛髪に塗布する。そして、１〜１５分程度放置する。尚、第二剤については、前述の通りである。
（２−６）続いて、余分な第二剤を洗い流す。
（２−７）最後に、毛髪をドライヤー等で乾燥させ、仕上げる。
【００５７】
以上、本実施形態の発熱プレート１の使用例を説明した。
ここで、本願出願人は、発熱プレート１を用いた上記の方法１，２によるパーマ処理と、発熱プレート１を用いない従来の方法によるパーマ処理とを実験的に行った。また、その結果を比較検討した。以下、具体的に説明する。
【００５８】
まず、上記方法１による第１の実験について説明する。
《実験１》
実験１で使用した発熱プレート１は、保持プレート１０の外形が５ｃｍ×７ｃｍであり、発熱用配線２０の材質はステンレスである。また、発熱用配線２０の端子２１間の抵抗は、４０オームであった。
【００５９】
また、パーマ用ロッドとしては、長さ９ｃｍ、外形２ｃｍ、内径１．８ｃｍのものを使用した。
尚、以下、この実験で使用した発熱プレート１、パーマ用ロッドをそれぞれ、実験用発熱プレート、実験用ロッドと記載する。
【００６０】
次に、パーマ処理の具体的な内容について説明するが、以下において、行頭の各番号は、方法１の説明で行頭に記載した番号と対応する。
（１−１）長さ２０ｃｍ、重さ１０ｇの毛髪に第一剤１０ｇを塗布し、２０分放置する。ここで、表１は、本実験１で使用した第一剤の成分表である。
【００６１】
【表１】
2009207833.tif 000003
【００６２】
（１−２）毛髪を水洗いすると共に余分な水分をタオルで拭き取り、櫛でとかす。
（１−３）実験用ロッドを用いて、毛髪の先端部分から約３回転毛髪を巻き込む。また、実験用発熱プレートで、その毛髪を実験用ロッドと共に挟みこむ。
（１−４）実験用発熱プレートの通電コード４０を電源装置と接続し、実験用発熱プレートを２０分加熱する。尚、実験用発熱プレートに供給される電源は、直流、１５Ｖとした。また、毛髪部分の温度を測定したところ、毛髪が実験用発熱プレートと接触する部分の温度は約９０度であり、毛髪が実験用発熱プレートと接触しない部分の温度は約６０度であった。
（１−５）実験用発熱プレート及び実験用ロッドを外し、第二剤１０ｇを毛髪に塗布し、１０分放置する。ここで、表２は、本実験１で使用した第二剤の成分表である。
【００６３】
【表２】
2009207833.tif 000004
【００６４】
（１−６）余分な第二剤を洗い流す。
（１−７）毛髪をドライヤーで乾燥させ、仕上げる。
次に、上記方法２による第２の実験について説明する。
《実験２》
実験２では、実験１と同じ実験用発熱プレート及び実験用ロッドを使用した。尚、以下の説明において、行頭の各番号は、方法２の説明で行頭に記載した番号と対応する。
（２−１）長さ２０ｃｍ、重さ１０ｇの毛髪を実験用ロッドに約３回転巻き付ける。
（２−２）実験用ロッドに巻き付けた毛髪に第一剤（表２参照）１０ｇを塗布し、２０分放置する。
（２−３）実験用発熱プレートで、その毛髪を実験用ロッドと共に挟みこむ。
（２−４）実験用発熱プレートの通電コード４０を電源装置と接続し、実験用発熱プレートを１０分加熱する。尚、実験用発熱プレートに供給される電源は、直流、１５Ｖとした。また、毛髪部分の温度を測定したところ、毛髪が実験用発熱プレートと接触する部分の温度は約６０度であり、毛髪が実験用発熱プレートと接触しない部分の温度は約５５度であった。
（２−５）実験用発熱プレート及び実験用ロッドを外し、第二剤（表２参照）１０ｇを毛髪に塗布し、１０分放置する。
（２−６）余分な第二剤を洗い流す。
（２−７）毛髪をドライヤーで乾燥させ、仕上げる。
【００６５】
次に、上記実験１及び実験２の実験結果と比較するために行った従来の方法による比較実験について説明する。まず、第１の比較実験について説明する。
《比較実験１》
比較実験１では、図示は省略するが、抵抗値が４０オームのヒータを本体に内蔵し、外部電源からの通電によりそのヒータが発熱するように構成されたパーマ用ロッド（以下、実験用発熱ロッドと言う）を用いた。つまり、実験用発熱ロッドに毛髪を巻き付けてその実験用発熱ロッドを発熱させ、毛髪にウエーブ形状をつける方法について実験を行った。尚、実験用発熱ロッドの外形は、実験用ロッドと同じである。また、第一剤及び第二剤は、実験１及び実験２と同じものを使用した（表１及び表２参照）。
【００６６】
次に、本比較実験１におけるパーマ処理の具体的な内容について説明する。
（Ａ）長さ２０ｃｍ、重さ１０ｇの毛髪に第一剤（表１参照）１０ｇを塗布し、２０分放置する。
（Ｂ）毛髪を水洗いすると共に余分な水分をタオルで拭き取り、櫛でとかす。
（Ｃ）実験用発熱ロッドを用いて、毛髪の先端部分から約３回転毛髪を巻き込む。
（Ｄ）実験用発熱ロッドを外部電源と接続し、実験用発熱ロッドを２０分加熱する。尚、電源は、１５Ｖの直流を使用し、実験用発熱ロッド本体を９０度まで加熱した。この時、毛髪が実験用発熱ロッド本体と接触する部分のその毛髪の温度は９０度であり、毛髪が実験用発熱ロッド本体と接触しない部分のその毛髪の温度は４５度であった。
（Ｅ）実験用発熱ロッドを外し、第二剤１０ｇを毛髪に塗布し、１０分放置する。
（Ｆ）余分な第二剤を洗い流す。
（Ｇ）毛髪をドライヤーで乾燥させ、仕上げる。
【００６７】
次に、第２の比較実験について説明する。
《比較実験２》
比較実験２では、予め加熱した予熱クリップを用いて毛髪を加熱する方法について実験した。
【００６８】
その予熱クリップは、図示はしないが、毛髪を挟み込むことができるように構成されたものであり、また、その材質はザイロン（登録商標）である。尚、ザイロン（登録商標）は、耐熱性等に優れた樹脂である。
【００６９】
また、本比較実験２におけるパーマ処理の手順は、実験１におけるパーマ処理の手順と同じである。一方、本比較実験２では、実験１の実験用発熱プレートの代わりに、上記予熱クリップを使用している。
【００７０】
そして、本比較実験２では、１３０度に加熱した直径２０ｍｍのステンレスの棒を予熱クリップで挟むと共に、その予熱クリップを１５分加熱させた。そして、実験１の（Ｄ）
に該当する工程で、加熱させた予熱クリップで毛髪を挟み込み、その毛髪を加熱するようにした。
【００７１】
この比較実験２において、予熱クリップは、加熱直後は約１３０度であったが、毛髪を挟みこんだその２分後には、約４０度までその温度が低下した。
次に、各実験結果について、比較をしながら説明する。図４は、実験１，２及び比較実験１，２におけるパーマ処理でウエーブ形状がつけられた毛髪を表す図面である。
【００７２】
図４に示すように、実験１，２のパーマ処理を施した毛髪には、それぞれ、その毛髪の根本にしっかりとしたウエーブ形状がついている。一方、比較実験１のパーマ処理を施した毛髪には、毛先にはウエーブ形状がついたものの、根本には充分なウエーブ形状がついていない。実験１，２の場合と比較しても、ウエーブ形状が弱いのは明らかである。また、比較実験２のパーマ処理を施した毛髪には、ほとんどウエーブ形状がついていない。
【００７３】
ここで、さらに、実験１のパーマ処理と比較実験１のパーマ処理とでその違いを比較するため、人の毛髪が植毛されたモデルウィッグを使用し、そのモデルウィッグの毛髪に、実験１のパーマ処理と比較実験１のパーマ処理とをそれぞれ施した。具体的に、モデルウィッグに植毛された毛髪を２分し、一方には、実験１のパーマ処理を施し、他方には比較実験１のパーマ処理を施した。尚、モデルウィッグは特に図示しない。
【００７４】
そして、図４における実験１の毛髪、比較実験１の毛髪、及びモデルウィッグについて、５人の美容師（美容師Ａ〜Ｅ）による評価を行った。評価は、図４の実験１の毛髪、比較実験１の毛髪のそれぞれについて、毛髪の根本のウエーブ形状のつき具合が強いか否か、全体的に均一にウエーブ形状がついているか否か、という観点から行い、また、モデルウィッグについて、好ましいか否か（例えば、見た目が好ましいか否か）という観点から行った。
【００７５】
まず、ウエーブ形状のつき具合（強度）について、美容師Ａ〜Ｅの全てが、実験１の毛髪（図４参照、以下同様）の根本部分のウエーブ形状の強度は強く充分であると評価し、比較実験１の毛髪（図４参照、以下同様）の根本部分のウエーブ形状の強度は弱いと評価した。
【００７６】
また、均一性について、美容師Ａ〜Ｅの全てが、実験１の毛髪はその先端部分にもウエーブ形状が充分につき、全体として均一であると評価し、比較実験１の毛髪は先端部分のウエーブ形状は根本部分よりさらに弱く、全体として不均一であると評価した。
【００７７】
また、モデルウィッグについて、美容師Ａ〜Ｅの全てが、実験１のパーマ処理を施した側については、毛髪の根本から先端まで均一にしっかりしたウエーブ形状がつき、見た目も好ましいと評価し、比較実験１のパーマ処理を施した側は、根本部分のウエーブ形状が弱く、また、先端はさらにウエーブ形状が弱いため、全体的に不均一で好ましくないと評価した。
【００７８】
以上のように、本実施形態の発熱プレート１を用いてパーマ処理を行った場合、毛髪の根本部分にしっかりとしたウエーブ形状をつけることができると共に、毛髪の根本から先端まで、全体として均一になるように仕上げることができ、美容師に高評価が得られるパーマ処理を施すことができるようになる。
【００７９】
尚、本実施形態においては、保持プレート１０がプレート本体に相当し、針金部材３０が形態保持手段に相当し、通電コード４０が電流供給手段に相当している。
［第２実施形態］
次に、本発明の第２実施形態について説明する。
【００８０】
図５は、第２実施形態の発熱プレート１を表す図面であり、この図５の発熱プレート１は、第１実施形態の発熱プレート１と比較して、針金部材３０の代わりに、クリップ部材５０が設けられている点が異なっている。尚、その他は同じであり、同一の構成部分には同一の符号を付している。
【００８１】
クリップ部材５０は、操作部５１と作用部５２とから構成されると共に、作用部５２における複数の接着部５３で、保持プレート１０と接着されている。具体的に、接着部５３では、保持プレート１０と作用部５２とを貫通し、かつ両端直径が貫通穴よりも大きく形成されて貫通穴から抜けないようになっているピンにより、保持プレート１０と作用部５２とが接着されている。尚、保持プレート１０と作用部５２とは、接着剤や、粘着力のあるテープ部材等により接着させるようにしてもよい。
【００８２】
また、クリップ部材５０は、より詳しくは、作用点と支点と力点とを有するものであり、力点に一定の力を加えることで、作用点に一定の力が作用して作用点が移動するように構成されたものである。また、クリップ部材５０は、弾性力を生じさせる構成も有するものであり、作用点を移動させるようにするには、弾性力に反発する力を力点に加える必要がある。
【００８３】
図５のクリップ部材５０では、操作部５１が力点に相当し、作用部５２が作用点に相当する。尚、支点は、図５で明示はしないが、２本の足から構成される作用部５２のその足の根本部分である。そして、操作部５１に何も力を加えない状態では、クリップ部材５０は、閉じた状態となる。一方、クリップ部材５０の操作部５１に、それぞれ、その操作部５１を互いに接触させる方向（弾性力に反発する方向）に力を加えると、つまり、操作部５１を「つまむ」と、作用部５２に力が作用し、その作用部５２が開く。
【００８４】
ここで、図６は、本第２実施形態の発熱プレート１を用いたパーマ処理を表す図面である。尚、パーマ処理の内容、手順については、第１実施形態で説明した通りである。つまり、方法１を用いてもよいし、方法２を用いてもよい。そして、図６では、例えば、まず、毛髪がパーマ用ロッド１００に巻かれる。そして、毛髪がパーマ用ロッド１００に巻かれた状態で、本第２実施形態の発熱プレート１を用いて、毛髪をパーマ用ロッドと共に把持するようにする。具体的に、クリップ部材５０の操作部５１を手でつまんでクリップ部材５０が開いた状態にし、その後、保持プレート１０が毛髪及びパーマ用ロッドを覆うように発熱プレート１を移動させ、そして、保持プレート１０のクリップ部材５０が設けられた面と反対側の面が毛髪と接触した位置で、操作部５１から手を離すようにする。すると、クリップ部材５０の弾性力によりそのクリップ部材５０が閉じて、毛髪が把持される。
【００８５】
尚、本第２実施形態においては、クリップ部材５０が形態保持手段に相当している。
このような本第２実施形態の発熱プレート１によれば、弾性力により閉じるように構成されたクリップ部材５０が設けられているため、毛髪を把持する際に、発熱プレート１に、その発熱プレート１を閉じさせるような力を加えなくてもよい。また、発熱プレート１を毛髪から外す際には、クリップ部材５０の操作部５１をつまんでクリップ部材５０を開くようにすればよい。これによれば、発熱プレート１の取り扱いが簡単となり、ひいてはパーマ処理を容易に施すことができるようになる。
［実施形態３］
次に、本発明の第３実施形態について説明する。
【００８６】
図７は、第３実施形態の発熱プレート１を表す図面である。本第３実施形態においては、外部電源として電池から電流が供給されるようになっており、発熱プレート１は、電池を収容するための電池ボックス６０を備えている。
【００８７】
図７（ａ）は、針金部材３０を備えた発熱プレート１に電池ボックス６０が設けられた図面であり、  図７（ｂ）は、クリップ部材５０を備えた発熱プレート１に電池ボックス６０が設けられた図面である。
【００８８】
具体的に、電池ボックス６０は、保持プレート１０に接着される構成となっている。そして、電池ボックス６０におけるプラス電極及びマイナス電極はそれぞれ、発熱プレート１における発熱用配線２０の端子２１（図１参照）に接続されるようになっている。尚、電池としては、アルカリ電池やマンガン電池は勿論のこと、ニカド電池、ニッケル水素電池、リチウムイオン電池等をはじめとする充電式電池、更には、燃料電池を用いることができる。また、単一、単二、単三、単四、単五形、ボタン形等、どのようなものを用いてもよく、さらに、使用する電池の本数（個数）についても、１つでもよいし、複数（２つ以上）でもよい。
【００８９】
次に、電池ボックス６０において、保持プレート１０との接触する部分には、保持プレート１０の表面温度、言い換えるなら、発熱用配線２０の発熱温度を検出するための温度センサ６１（図７（ａ）参照）が、その電池ボックス６０と一体的に設けられている。また、電池ボックス６０には、温度センサ６１により検出された発熱温度を表示して周囲に通知するための表示部６２が設けられている。そして、温度センサ６１及び表示部６２は、電池ボックス６０に収容される電池から電源の供給を受けて動作する。
【００９０】
尚、温度センサ６１及び表示部６２に換えて、温度により表示色が変化するサーモグラフシートを保持プレート１０に設けるようにしてもよい。この構成によれば、使用者（美容師）がサーモグラフシートの色を視認して、発熱プレート１の発熱温度を容易に知ることができるようになる。また、簡単かつ安価に構成することができる。また、例えばアナログ式の温度計を保持プレート１０の表面に設け、発熱プレート１の発熱温度がその温度計により検出されるように構成してもよい。
【００９１】
また、電池ボックス６０は、サーモスイッチ６３（図７（ａ）参照）を内臓している。サーモスイッチ６３は、温度センサ６１により検出される検出温度が所定値以上になると、電池ボックス６０から発熱用配線２０への電流の供給経路を遮断する機能を備えている。これによれば、発熱プレート１が所定値以上に上昇することを防止することができるため、安全である。
【００９２】
尚、本第３実施形態においては、電池ボックス６０が電流供給手段及び電池収容部に相当し、温度センサ６１が温度検出手段に相当し、表示部６２が温度通知手段に相当し、サーモスイッチ６３が温度判定手段及び電流供給停止手段に相当している。
【００９３】
以上のような本第３実施形態の発熱プレート１によれば、使用者（美容師）が発熱プレート１の発熱温度を確認することができるため、その発熱温度が必要以上に上昇してしまうことを防止することができる。また、発熱温度が所定値以上になれば、発熱プレート１への電流の供給が停止されるため、安全である。
【００９４】
［実施形態４］
次に、本発明の第４実施形態について説明する。
図８は、第４実施形態の発熱プレート１を表す図面である。
【００９５】
第４実施形態の発熱プレート１では、クリップ部材５０の作用により保持プレート１０が最も大きく屈曲する部分を境にしたその保持プレート１０における２つの領域において、発熱用配線２０がそれぞれに独立して設けられている。言い換えると、保持プレート１０において、クリップ部材５０の作用により最も大きく屈曲する部分には、発熱用配線２０が配設されないように構成されている。尚、図８にも示すように、２つの領域における発熱用配線２０のそれぞれに通電コード４０が接続される。
【００９６】
このような第４実施形態の発熱プレート１によれば、保持プレート１０において、クリップ部材５０の作用により最も大きく屈曲する部分には発熱用配線２０が配設されていないため、発熱用配線２０が大きく屈曲することがない。このため、発熱用配線２０に折り曲がりの負荷がかからないようにすることができる。これによれば、発熱用配線２０の断線、損傷等を抑制することができる。
【００９７】
［実施形態５］
次に、本発明の第５実施形態について説明する。
図９は、第５実施形態の発熱プレート１を表す図面である。
【００９８】
本第５実施形態では、クリップ部材５０の作用により保持プレート１０が最も大きく屈曲する部分を境にして、保持プレート１０自体が２分割されるようになっている。そして、その２分割された後のプレートのそれぞれに、発熱用配線２０が設けられている。通電コード４０は、各プレートの発熱用配線２０にそれぞれ接続される。
【００９９】
このような第５実施形態によれば、第４実施形態と同様、発熱用配線２０に折り曲がりの負荷がかからないようにすることができる。さらには、保持プレート１０にも折り曲がり負荷がかからないようにすることができる。このため、発熱用配線２０や保持プレート１０の損傷を抑制することができ、耐久性を向上させることができる。
【０１００】
以上、本発明の一実施形態について説明したが、本発明は上記実施形態に限定されるものではなく、本発明の技術範囲内において種々の形態をとることができる。
例えば、上記実施形態において、発熱プレート１の保持プレート１０の形態を円筒状にし、かつその保持プレート１０が弾性変形可能なように構成してもよい。つまり、保持プレート１０が円筒状の形態に戻ろうとする力により、毛髪が把持されるような構成としてもよい。
【０１０１】
また、上記実施形態において、針金部材３０やクリップ部材５０に代えて、保持プレート１０の形態を円筒状に保持する弾性変形可能な弾性部材を用いてもよい。つまり、弾性部材が円筒状の形態に戻ろうとする力により、毛髪が把持されるような構成としてもよい。尚、弾性部材としては、具体的に、トーションスプリング等のバネ部材を用いることができる。
【０１０２】
また、上記実施形態において、マジックテープ（登録商標）により、保持プレート１０の形態が保持されるような構成としてもよい。つまり、保持プレート１０の特定の辺の側と、その特定の辺に対向する他方の辺の側とにマジックテープ（登録商標）を設け、保持プレート１０が変形してそのマジックテープ（登録商標）が互いに接着することにより、保持プレート１０の形態がその変形した形態に保持されるようにしてもよい。
【０１０３】
また、上記実施形態において、発熱プレート１は交流電流により発熱するような構成としてもよい。
また、上記第３実施形態の電池ボックス６０が内蔵するサーモスイッチ６３を、通電コード４０に内蔵させる構成としてもよい。これによれば、通電コード４０を用いて発熱プレート１を発熱させる場合（例えば、実施形態１，２）でも、発熱温度が必要以上に上昇してしまうことを防止することができる。
【０１０４】
また、上記第３実施形態において、温度センサにより検出される温度が所定値以上になると、所定の音が発せられるような構成にしてもよいし、また、警告灯が点灯するような構成にしてもよい。このような構成にするためには、具体的に、周囲の温度を検出すると共にその検出した温度が所定値以上になると、回路をオンオフさせる機能を有するサーモスイッチ等を用いることが考えられる。また、警告灯としては、例えばランプやＬＥＤ等がある。
【図面の簡単な説明】
【０１０５】
【図１】第１実施形態の発熱プレート１を表す図面である。
【図２】第１実施形態の発熱プレート１を表す斜視図である。
【図３】第１実施形態の発熱プレート１の使用例を説明する図面である。
【図４】実験結果を説明する図面である。
【図５】第２実施形態の発熱プレート１を表す斜視図である。
【図６】第２実施形態の発熱プレート１の使用例を説明する図面である。
【図７】第３実施形態の発熱プレート１を表す斜視図である。
【図８】第４実施形態の発熱プレート１を表す斜視図である。
【図９】第５実施形態の発熱プレート１を表す斜視図である。
【符号の説明】
【０１０６】
１…発熱プレート、１０…保持プレート、１１…第１プレート、１２…第２プレート、２０…発熱用配線、２１…端子、３０…針金部材、４０…通電コード、４１…端子、５０…クリップ部材、５１…操作部、５２…作用部、５３…接着部、６０…電池ボックス、６１…温度センサ、６２…表示部、６３…サーモスイッチ、１００…パーマ用ロッド。
【図１】
2009207833.tif 000005
【図２】
2009207833.tif 000006
【図３】
2009207833.tif 000007
【図４】
2009207833.tif 000008
【図５】
2009207833.tif 000009
【図６】
2009207833.tif 000010
【図７】
2009207833.tif 000011
【図８】
2009207833.tif 000012
【図９】
2009207833.tif 000013